(57)【要約】      （修正有）【課題】水力発電をするためのダム水の枯渇の課題です。ダム水の放流時の課題です。水力発電所を作る時の自然の破綻の課題です。ダム内に土砂がたまり、ダムの機能低下の課題です。【解決手段】下部タンクと上部タンクとを接続し、連結した接続管及び連結管の管内に水を、通し流して下部タンクと上部タンクとの水を循環させる手段です。【効果】（１）水を循環させて再利用する効果です。（２）水を枯渇させない効果です。（３）自然を破綻しない効果です。【選択図】図１
2017129008.tif 000002
【特許請求の範囲】
【請求項１】
水管（１）の下部、及び、底面を筒抜けに開放する。又は、大きく開放した管内に水車、及び、タービン（６）等を設けます。この管内の上部に管内仕切板、及び、管内密閉板（２）を設けます。この仕切り板（２）の下部にゴム筒（３）と仕切板（２）の上部に管内密閉弁、及び、落下水弁（４）とを設けます。この管の上部の外側に取水口（５）と空気送風管（８）とを設けた形態、及び、物品を本案の水管（１）とする方法です。
【請求項２】
連結管及び、接続パイプ管（９）等をタンクの支柱として用いて、下部タンク（１０）と上部タンク（１１）との間を図の様に支えて連結し、接続した（９）と（９）との間に、本案の水管（１）を垂直、又は、斜度を設けて図の様に設置する方法又は、パイプ及び管（９）１体と、水管（１）１体とを組合せる方法です。
【請求項３】
水管（１）内の上部密閉弁（４）を閉じて、管内を密閉してから水管（１）内に空気送風管（８）により、水管（１）内に空気を注入する方法です。空気を注入することにより、次の目的を達成させる事を目的とします。      （１）水管内の水を空気圧により、管内水位（１３）まで押し下げ管低へと排水さ            せる事      （２）水管内水位（１３）から上部仕切板（２）までの間を、空気圧により空洞に            する事      （３）空洞にした空気圧により、管低より管内に浸水してくる水を遮断し、及び、            防止させる事      （４）空洞が保たれた時点で、落下水弁（４）を開いて水を落下させる事
【請求項４】
水車、及び、タービン等の（６）を回転させたこの落下水を、下部タンク（１０）内から自然的に浮上させ上昇させて、連結管、及び、接続パイプ管（９）内を流れて、浮上し上昇して上部タンク（１１）内に設けた取水口（５）に自然的に流れ込ませる方法です。最初の元の取水口（５）に水が自然的に戻り、水を自然的に循環させる方法です。
【請求項５】
先端部分を先細にしたゴム筒（３）の中を、落下水を通過させる方法です。先細にした部分により水が絞り込まれて、管内の空気が管外に流れ出るのを遮断させる方法です。
【発明の詳細な説明】
【技術分野】
【０００１】水管の上部から水管内に水を自然的に落下させます。そして、水管内に設けた、水車、及び、タービン等を回転させます。この回転を発電機モーターに伝動して、発電機モーターから電気を発生させる技術分野です。そして、落下した水を循環させて、再び落下水として水を再利用する技術分野です。
【背景技術】
【０００２】ダムの水を落下させて行う水力発電が有ります。石油、ＬＮＧガス、又は石炭等を用いた火力発電が有ります。谷川、又は、川の流れを利用した小規水力発電が有ります。
【発明の開示】
【発明が解決しようとする課題】
【０００３】ダムを作る時の自然の破綻の課題です。土砂がダム内にたまり込んで、ダムの機能低下の課題です。火力発電によるＣＯ２の課題です。ダム水の放流の課題です。
【課題を解決するための手段】
【０００４】決められた一定量の水をタンク内に確保した水を、下から上へと、又は、上下へと循環させて、水を自然的に落下させて水管内に設けた水車、及び、タービン等を回転させる手段です。そして、水車、及び、タービン等を回転させた落下水を再び落下水として再利用する手段です。
【発明の効果】
【０００５】同じ水を繰り返して利用できる効果です。ＣＯ２の課題が克服できた効果です。自然を破綻しない効果です。放水等を行わない効果です。
【発明を実施するための最良の形態】
【０００６】実施例１水管（１）の下部、及び、底面を筒抜けに開放する。又は、大きく開放した管内に水車、及び、タービン等の（６）等を設けます。この管内の上部に管内仕切板、及び、管内密閉板（２）を設けます。この仕切り板（２）の下部にゴム筒（３）と、仕切り板（２）の上部に管内密閉弁、及び、落下水弁（４）とを設けます。この管の上部の外側に取水口（５）と空気送風管（８）とを設けた形態、及び、物品を本案の水管（１）とする形態です。実施例２連結管、及び、接続パイプ管（９）等をタンクの支柱として用いて、下部タンク（１０）と上部タンク（１１）との間を、図の様に支えて連結し接続した（９）と（９）との間に、本案の水管（１）を垂直、又は、斜度を設けて図の様に設置する形態です。又は、パイプ及び、管（９）１体と水管（１）１体とを組合せる形態です。実施例３図の様に設置した本案の水管（１）の始動形態を説明します。水管内の密閉、及び、落下水弁（４）を締めて弁を閉めて管内を密閉にします。そして、水管（１）内に空気送風管（８）により空気を管内に注入します。この注入した空気圧により水管内の水を水管内水位（１３）まで押下げ管低へと排水します。と同時に、水管内水位（１３）から上部仕切板（２）までの間を空気圧により空洞にします。と同時に、この空気圧により管低から管内に浸水してくる水を遮断し防止させます。そしてこの空洞が保たれた時点で、落下水弁（４）を開いて上部タンク（１１）内のタンク内水位（１２）の水を取水口（５）から自然に吸い込んで落下させます。この落下水をゴム筒（３）の中を通過させます。通過するときに先端部分を先細にした部分により、ゴム筒の伸縮力によって水が絞り込まれて、ゴム筒と水との透き間がなくなり、水管内の空気が管外の密閉弁（４）に流れ出るのを遮断し防止する形態です。この落下水が水車、及び、タービン等の（６）を回転させます。この回転を発電機モーター（７）に伝動して、発電機モーターを回転させて、発電機モーターから電気を発生させる形態です。実施例４水車、及び、タービン等の（６）を回転させたこの落下水を、下部タンク（１０）内から自然的に浮上させ上昇させて、連結管及び、パイプ管（９）内を流れて浮上し、上昇して上部タンク（１１）内に設けた取水口（５）に自然的に流し込ませる形態です。この事により最初の元の取水口（５）に水が自然的に戻り、水を自然的に循環させる形態です。
【産業上の利用可能性】
【０００７】水力発電を行うための水量が全くない場所等の民家や、店舗、工場、又は、高台等に利用可能です。
【図面の簡単な説明】
【０００８】
【図１】下部タンク（１０）と上部タンク（１１）とを連結し、接続したパイプ管（９）と（９）との間に設置した水管（１）との立体図です。
【符号の説明】
【０００９】（１）      水管（２）      上部仕切板及び、管内密閉板（３）      ゴム筒（４）      管内密閉弁、及び、落下水弁（４−１）  回転ハンドル（５）      取水口（６）      水車、及び、タービン（７）      発電機モーター（８）      空気送風管（８−１）  バルブ（９）      連結管、及び、支柱管（１０）    下部タンク（１１）    上部タンク（１２）    タンク内水位（１３）    水管内水位（１４）    水抜ドレン（１５）    発電機モーター加台
【図１】
2017129008.tif 000003
【手続補正書】
【提出日】平成28年7月4日(2016.7.4)
【手続補正１】
【補正対象書類名】明細書
【補正対象項目名】０００６
【補正方法】変更
【補正の内容】
【０００６】
【実施例１】
鉄板を用いて中を空洞にした長管を製造します。この長管を水力発電するための水を落下せせる為の水管（１）にする形態です。
前記長管の下部を、管と同大位の筒抜けにした全開放部を設けます。
そして、前記管内に水を落下させて回転させるためのタービン（６）を設けます。
このタービンの回転を発電機モーター（７）に伝道して、発電機モーターを回転させて、発電機モーターから電気を発生させる形態です。
前記、管内の上部を鉄板を用いて仕切ます。この仕切りの目的は、仕切板の下部と水管下部との間に空気を送入して、空気圧により水を管底へと押し下げて、管内を密閉にすると同時に仕切板上の水を保持させるためと、水を落下させるために管内を空洞にするための仕切です。
この仕切板の中央部を丸くした穴を開けます。この穴を塞ぎ管内を密閉する、又は、穴をあけて水を落下させるための仕切板（２）です。
前記管内の仕切板（２）の上部に鉄板を丸くした下部にゴム板を張り付けた弁（４）を設けます。
この弁（４）を操作ハンドル（４−１）を回転させて、仕切板に開けた穴を塞いで管内を密閉する。又は、弁（４）を上げて、水を落下させるための両方を兼ねた弁（４）です。
前記管内の仕切板（２）の下部に水を通過させると伴い水の方向性を定めるためのゴム筒（３）を設けます。
このゴム筒内を通過する水圧により、ゴム筒が外側にふくれ出して、ゴム筒と落下水との透き間がなくなって管内の空気が上部に流れ出るのを防止させる形態です。
前記管内の弁（４）よりも上部に取水口（５）を設けます。
前記管内のゴム筒（３）の下部、かつタービン（６）の上部に空気送風管（８）を設けられた。この管内に水を落下させてタービン（６）を回転させて、この回転を発電機モーター（７）に伝動して、電気を発生させるために、水を落下させるための水管（１）とする形態です。
【実施例２】
前記水管（１）の下端に鉄板を用いて製造した下部タンク（１０）をボルト、又は、電気溶接などを用いて接続します。
前記水管（１）の上端に鉄板を用いて製造した上部タンク（１１）をボルト、又は、電気溶接などを用いて接続します。
前記の接続した水管（１）上部のタンク（１１）を、支柱管（９）により支えて水管（１）に加わる重量を分別して軽減させると同時に下部タンク（１０）内に、次から次へと水が落下し、次から次へとタンク内の水中にもぐり込んだ水の水圧により、水が自然的に押上げられて、水が水平になろうとして水管兼支柱管（９）内に流れ込み上昇して上部タンク（１１）内に流れ込む形態です。
鉄板を用いて、水管と支柱とを兼ねた支柱管（９）を製造します。
この支柱管（９）２本を用いて水管（１）の前後、又は、左右に設置して下部タンク（１０）と上部タンク（１１）とを繋ぎ、ボルト、又は、電気溶接により接続して水管（１）上部のタンクの重量を分別して軽減させると共に、支柱管内に水を通過させる形態です。
又は、後期を短縮する。又は、出力と大きさを軽減させる形態として
支えて補助するために、水管兼支柱管となる支柱管（９）を用いて水管（１）の前後、又は、左右に設けて支柱管（９）の上下を上下のタンクと繋ぎ接続すると同時に、支柱管内に水を通過させる方法です。
前記の水管（１）１体と、支柱管（９）１体とを用いて、下部タンク（１０）と上部タンク（１１）とを繋ぎ接続する方法です。
【手続補正２】
【補正対象書類名】特許請求の範囲
【補正対象項目名】全文
【補正方法】変更
【補正の内容】
【特許請求の範囲】
【請求項１】
鉄板を用いて中を空洞にした長管を製造します。この長管を水力発電するための水を落下せせる為の水管（１）とする方法です。
前記長管の下部を、管と同大位の筒抜けにした全開放部を設けます。
前記管内に水を落下させて回転させるためのタービン（６）を設けます。
このタービンの回転を発電機モーター（７）に伝道します。
前記、管内の上部に鉄板を用いて、取り付けた仕切板（２）を設けます。
前記管内の仕切板（２）の上部に管内を密閉させるためと、落下水させるためとの両方を兼ねた弁（４）を設けます。
前記管内の仕切板（２）の下部に水の方向先を定めるためのゴム筒（３）を設けます。
前記管内の弁（４）よりも上部に取水口（５）を設けます。
前記管内のゴム筒（３）の下部、かつタービン（６）の上部に空気送風管（８）を設けられた管内に水を落下させてタービン（６）を回転させて、この回転を発電機モーター（７）に伝動して、発電機モーターを回転させて、発電機モーターから電気を発生させるために、水を落下させるための水管（１）とする方法です。
【請求項２】
前記水管（１）の下端に接続された下部タンク（１０）と、前記水管（１）の上端に接続された上部タンク（１１）とを有し
前記の上下のタンクに接続した水管（１）の上部タンク（１１）を支えて補助するために、水管兼支柱管となる支柱管（９）を用いて水管（１）の前後、又は、左右に設けて支柱管（９）の上下を上下のタンクと繋ぎ接続すると同時に、支柱管内に水を通過させる方法です。
前記の水管（１）１体と、支柱管（９）１体とを用いて、下部タンク（１０）と上部タンク（１１）とを繋ぎ接続する方法です。